(57)【要約】      （修正有）【課題】商品タグを各種商品へ効率よく取付けることができ、しかも、繰り返し使用できる安価で汎用性のある商品タグの取付具を提供する。【解決手段】本考案の商品タグの取付具は、可撓性の合成樹脂製の平板状の係止プレート１と、商品タグ３の通孔３ａに挿通して連結する紐状の吊下紐２とから構成されている。この吊下紐２は係止プレート１と一体成形され、先端に抜け止め２ａを備えている。また、係止プレート１は、周縁に縁取りが形成され、裏面の縦中央線上の上下２箇所に左右方向から嵌合して吊下紐２を係止する止め具１ａが一体成形されている。また、裏面の縦中央線上に縦溝１ｃが形成されている。さらに、縦のスリット１ｅと縦より短い横のスリットが十字状に形成され、ボタンにも取り付けることができる。【選択図】図３
0003183115.tif 000002
【実用新案登録請求の範囲】
【請求項１】
商品に取り付けられる平板状の係止プレートと、通孔を有する商品タグに挿通し該係止プレートにループ状に連結される紐状の吊下紐とからなる商品タグの取付具において、該係止プレートは、可撓性の合成樹脂製で周縁に縁取りが形成され、裏面の縦中央線上の上下２箇所に係止プレートを左右方向へ折り曲げたとき開口する止め具が一体成形で形成され、該吊下紐は先端に抜け止めを備え該係止プレートに一体成形されていることを特徴とする商品タグの取付具。
【請求項２】
前記係止プレートは、裏面の縦中央線上に縦溝が形成されていることを特徴とする請求項１に記載の商品タグの取付具。
【請求項３】
前記係止プレートは、縦のスリットまたは、縦と縦より短い横のスリットが十字状に形成されていることを特徴とする請求項１に記載の商品タグの取付具。
【考案の詳細な説明】
【技術分野】
【０００１】
本考案は、洋服などの商品に吊下げられる商品情報を表示する商品タグの取付具に関するものである。
【背景技術】
【０００２】
一般に、商品には、価格、品質、サイズ、銘柄等の情報を表示した紙または合成樹脂製の薄板状の商品タグが付設されている。この商品タグおよびその取り付け方には種々のものがあるが、洋服などでは、商品に取り付ける平板状の係止プレートと、商品タグに挿通して係止プレートにループ状に連結する吊下紐とからなるものが多く使用されている。
この吊下紐は合成樹脂で一体成形された封緘式のものが使用されており、一旦取り付けるとナイフかハサミで切断しなければ取り外すことが不可能である。
そこで、合成樹脂の紐の一部に切欠部を設けて、指で複数回折り曲げて切断可能にしたものが開発されている（例えば、特許文献１参照）。
また、紐は一度切断すると使用できないので、封緘の係止部を複数個にして、再利用できるようにしたものもある（例えば、特許文献２参照）。
【先行技術文献】
【特許文献】
【０００３】
【特許文献１】特開平０７−２７１３０７公報
【特許文献２】特開２００７−３２８２３５公報
【考案の開示】
【考案が解決しようとする課題】
【０００４】
商品タグの取付具は、商品の付ける位置に適するようにように作られるので、多種類できてしまう。このため、安価なものが要求され、かつ、取り付け作業が簡便であるものが望まれる。また、商品タグは、価格表示の変更など、かなり、付け替えが必要となっており、商品タグの付け替えを簡便に行え、取付具は交換しなくてもそのまま使用できるのが望まれる。
また、例えば、商品が洋服である場合、商品タグは襟タグに取り付けるのが一般的であるが、襟タグが四方とも縫着されている場合があり、この場合ボタンに取り付けることとなり、この場合、取付具はこれに適したものを使用しなければならない、という問題がある。
【０００５】
そこで、本考案は、上記の点に鑑み、商品タグを各種商品へ効率よく取付けることができ、しかも、繰り返し使用できる安価な商品タグの取付具、また、商品の複数の箇所にも取り付け可能な取付具を提供することを目的としている。
【課題を解決するための手段】
【０００６】
本考案の商品タグの取付具は、上記の目的を達成するため、次のように構成した。すなわち、商品に取り付けられる平板状の係止プレートと、通孔を有する商品タグに挿通し該係止プレートにループ状に連結される紐状の吊下紐とからなる商品タグの取付具において、該係止プレートは、可撓性の合成樹脂製で周縁に縁取りが形成され、裏面の縦中央線上の上下２箇所に係止プレートを左右方向へ折り曲げたとき開口する止め具が一体成形で形成され、該吊下紐は先端に抜け止めを備え該係止プレートに一体成形されていることを特徴としている。
【０００７】
この取付具は、商品タグを吊下紐に挿通して、係止プレートを商品の例えば襟タグの前面で持って、係止プレートの両サイドを保持して手前側へ折り曲げて、裏面の止め具を開口させる。そして、吊下紐を襟タグの奥側へ引き回して先端の抜け止めを上側の止め具の上に置いて、係止プレートを平坦な状態に戻すことにより、止め具が閉じて吊下紐を係止するようにしたものである。
【０００８】
取付具は、周縁に縁取りと裏面に止め具を有する平板状の係止プレートと、先端に抜け止めを備えた吊下紐とが一体に成形された合成樹脂製である。
係止プレートは、可撓性があり周縁に縁取りが施された平板状である。形状は円板状、矩形状、楕円状、動物の輪郭に形どったものなど、適宜なものにできる。
また、縁取りは、吊下紐の脱着時係止プレートを中央から折り曲げて、離した時に平板状に戻り易くするもので、両面でもよいが、表か裏の一方に設けてもよい。
【０００９】
止め具は、裏面の縦中央線上の上下２箇所に設けられている。ここで、縦中央線とは、吊下紐を係止プレートの最下部に位置させたときの状態での位置を示している。
止め具は、吊下紐の先端の抜け止めが止め具の上端に当接して抜けないことが必要であるが、吊下紐を押さえる必要はなく、遊嵌状態でよい。そして、止め具の開閉は、上に切り口があって、係止プレートを中央部から折り曲げることによって、上部が開放され、平板状に戻した時に、閉じられる簡便なものでよい。
なお、止め具を開口しやすくするため、請求項２に示すように、係止プレートの裏面の縦中央線上に縦溝を形成するとよい。溝の幅や深さは、係止プレートの材質および使用する厚さによって決めればよい。
【００１０】
一方、商品の襟タグが、付設されていなかったり、四方が縫着されていて使用できない場合にも使用できるようにして汎用性を高めるとよい。例えば、請求項３に記載のように、係止プレートに縦のスリットまたは縦と縦より短い横のスリットが十字状に形成してボタンにも取り付け可能にするとよい。なお、ボタンは大きさがいろいろあるので、長さの異なるスリットを十字状に形成して、使い分けるとよい。
【考案の効果】
【００１１】
上記のように、本考案の商品タグの取付具は、合成樹脂製の平板状の係止プレートと、紐状の吊下紐とからなり、係止プレートは、可撓性の合成樹脂製で周縁に縁取りが形成され、裏面の縦中央線上の上下２箇所に係止プレートを左右方向へ折り曲げたとき開口する止め具が一体成形で形成され、該吊下紐は先端に抜け止めを備え該係止プレートに一体成形されているので、商品タグに吊下紐を通して商品へ短時間で効率よく取付けることができ、また、商品タグの取り替えも簡便にでき、別の商品へも再利用できる経済的なものとなった。
【００１２】
また、上記の取付具に加えて、請求項３に記載のように、係止プレートに縦のスリットを形成すれば、襟タグが使用できない場合でもボタン（例えば前ボタン）に係止プレートを簡便に取り付けることができる。また、縦のスリットと縦より短い横のスリットを十字状に形成すれば、横のスリットを利用して袖ボタンに取り付けが可能となり、汎用性が高まる。
【図面の簡単な説明】
【００１３】
【図１】本考案の商品タグの取付具の実施の形態を示す全体図で、（ａ）は平面図、（ｂ）はＡ−Ａ視断面図である。
【図２】同、商品タグを洋服の襟タグへ取り付けた状態を示すもので、（ａ）は正面図で、（ｂ）は裏面図である。
【図３】同、商品タグを商品へ取り付けるときの動作状態を示す斜視図である。
【図４】同、商品タグを洋服の袖ボタンへ取り付けた状態を示す斜視図である。
【図５】同、商品タグを洋服のファスナーへ取り付けた状態を示す斜視図である。
【考案を実施するための形態】
【００１４】
以下、本考案の商品タグの取付具の実施の形態を、図１〜図４に基づいて説明する。
図１は、商品タグの取付具の全体を示す平面図とＡ−Ａ視断面図であり、図２および図３は、取付具を使用して商品へ商品タグを取り付ける状態を説明する図である。
この商品タグの取付具は、係止プレート１と吊下紐２とからなり、可撓性の合成樹脂で一体成形されている。
【００１５】
係止プレート１は、ここでは円板状のものを使用し、表面はブランド名などが表示されている。そして、周縁には縁取り１ｄがされ、裏面は、中央に縦（吊下紐２を中央真下に位置させたとき）の縦溝１ｃが形成され、上下２箇所に止め具１ａ、１ｂが設けられ、中央部には十字状に形成された縦スリット１ｅと横スリット１ｆが設けられている。
この止め具１ａ、１ｂは、係止プレート１に半円筒状に形成され、中央で切断されている。
【００１６】
吊下紐２は、一端は係止プレート１に一体に繋がり、他端（先端）には径の大きな円筒状の抜け止め２ａ（一体成形で造られる）が設けられている。
商品タグ３は、上端中央に吊下紐２の抜け止め２ａが挿入可能な大きさの通孔３ａを有する矩形状の平板で、材質は、紙または合成樹脂のいずれでもよい。ここには、通常、価格、材質、サイズ、洗濯での注意事項などが表示されている。
【００１７】
次に、この取付具を用いて、商品タグを商品へ取り付ける作業について説明する。
図２は、洋服などの襟タグ４に取り付けた例であり、係止プレート１に吊下紐２が襟タグ４を跨いでループ状に取り付けられ、商品タグ３は吊下紐２によって連結されている。  このように取り付けるには、商品タグ３の通孔３ａに吊下紐２を挿通した後、襟タグ４の近くで、係止プレート１の左右側を摘んで表側へ折り曲げるように撓ませ、止め具１ａ、１ｂを縦溝１ｃの位置から左右へ拡げて開口させる。
【００１８】
そして、吊下紐２を襟タグ４の裏側を通して、先端の抜け止め２ａを止め具１ａの直ぐ上に位置させ、係止プレート１を平坦に戻せば、止め具１ａ、１ｂは、吊下紐２を押さえ込むように閉られる。そして、抜け止め２ａは止め具１ａに係止する。
【００１９】
誤って別の商品タグ３を付けてしまったり、価格の変更などで商品タグ３を取り替えたい場合は、係止プレート１の左右側を摘んで表側へ折り曲げるように撓ませ、吊下紐２を止め具１ａ、１ｂから外し、商品タグ３を別のものに替えればよい。なお、再取り付けは上記と同じ作業による。
【００２０】
洋服の場合は襟タグ４を使用して上記のように商品タグ３を取り付けるのが、一般的であるが、襟タグ４の四方が縫い込まれていたり、付設されていない場合がある。この実施例における商品タグの取付具は、このような場合には、袖ボタンや前ボタンを使用して取り付けることができる。
【００２１】
袖ボタンに商品タグを取り付ける場合の作業について図４に基いて説明する。
まず、吊下紐２を商品タグ３の通孔３ａへ通し、係止プレート１の左右側を摘んで表側へ折り曲げるように撓ませ、吊下紐２の抜け止め２ａを止め具１ｂの直ぐ上に位置させて係止プレート１を平坦に戻す。これにより、商品タグ３は吊下紐２に連結され、吊下紐２は係止プレートにループ状に取り付けられるので、係止プレート１の中央部にある横スリット１ｆに袖ボタン５をくぐらせて取り付ければよい。なお、図４（ｂ）は、袖ボタン５へ取り付ける前の裏側の状態を示すものである。
【００２２】
一方、襟タグが使用できず、例えば、ファスナー付きジャンパーのように、前ボタンや袖ボタンもない場合には、ファスナーを使用して取り付けることができる。
すなわち、図５に示すように、ファスナー６のスライダー６ａに付設されている引き手６ｂの穴６ｃに商品タグ３を連結した吊下紐２を挿通する。そして、係止プレート１の左右側を摘んで表側へ折り曲げるように撓ませ、吊下紐２の抜け止め２ａを止め具１ｂの直ぐ上に位置させて係止プレート１を平坦に戻せばよい。
【符号の説明】
【００２３】
１  係止プレート
１ａ、１ｂ  止め具
１ｃ  縦溝
１ｄ  縁取り
１ｅ  縦スリット
１ｆ  横スリット
２  吊下紐
２ａ  抜け止め
３  商品タグ
３ａ  通孔
４  襟タグ
５  袖ボタン
６  ファスナー
６ａ  スライダー
６ｂ  引き手
６ｃ  穴
【図１】
0003183115.tif 000003
【図２】
0003183115.tif 000004
【図３】
0003183115.tif 000005
【図４】
0003183115.tif 000006
【図５】
0003183115.tif 000007